(57)【要約】【課題】複数の周波数帯での同時通信時に一方の周波数帯の送信信号や受信信号が他方の周波数帯の送信回路に流入することを防止でき、低挿入損失と高減衰量を両立させ得るアイソレータ及び通信機器を得る。【解決手段】第１の周波数を送受信する第１の送受信回路１０Ａと、第２の周波数を送受信する第２の送受信回路１０Ｂには、それぞれ、アンテナ素子１１Ａ，１１Ｂと増幅器１４Ａ，１４Ｂとの間にアイソレータ１３Ａ，１３Ｂが接続されている。アイソレータ１３Ａは、通過周波数帯を第１の周波数に合わされ、アイソレーション周波数を第２の周波数に合わせられている。アイソレータ１３Ｂは、通過周波数帯を第２の周波数に合わされ、アイソレーション周波数を第１の周波数に合わせられている。【選択図】図３
2012039444.tif 000002
【特許請求の範囲】
【請求項１】
一方のポートへ入力された高周波信号を他方のポートへ伝送し、他方のポートへ入力された高周波信号を一方のポートへは伝送しないアイソレータにおいて、通過周波数とアイソレーション周波数とを互いに異ならせたこと、を特徴とするアイソレータ。
【請求項２】
永久磁石により直流磁界が印加されるフェライトに互いに絶縁状態で交差した第１中心電極及び第２中心電極を配置し、
第１中心電極は一端が入力ポートに電気的に接続され、他端が出力ポートに電気的に接続され、第２中心電極は、一端が出力ポートに電気的に接続され、他端がグランドポートに電気的に接続され、
入力ポートと出力ポートとの間に第１整合容量が電気的に接続され、出力ポートとグランドポートとの間に第２整合容量が電気的に接続され、入力ポートと出力ポートとの間に抵抗が電気的に接続されていること、
を特徴とする請求項１に記載のアイソレータ。
【請求項３】
永久磁石により直流磁界が印加されるフェライトに互いに絶縁状態で交差した第１中心電極、第２中心電極及び第３中心電極を配置し、
第１中心電極、第２中心電極及び第３中心電極には、それぞれ整合容量が並列に接続され、かつ、第３中心電極には抵抗が並列に接続され、
第１中心電極は一端が入力ポートに電気的に接続され、他端がグランドポートに電気的に接続され、第２中心電極は一端が出力ポートに電気的に接続され、他端がグランドポートに電気的に接続され、第３中心電極は他端がグランドポートに電気的に接続されていること、
を特徴とする請求項１に記載のアイソレータ。
【請求項４】
通過周波数帯とアイソレーション周波数とを互いに異ならせたアイソレータを備えたこと、を特徴とする通信機器。
【請求項５】
第１の送受信回路と第２の送受信回路とを備え、
第１の送受信回路には、第１の周波数を通過周波数とし、それとは異なる第２の周波数をアイソレーション周波数とした第１のアイソレータを含み、
第２の送受信回路には、第２の周波数を通過周波数とし、第１の周波数をアイソレーション周波数とした第２のアイソレータを含むこと、
を特徴とする通信機器。
【請求項６】
前記第１及び第２のアイソレータは、それぞれ、アンテナ素子と送信側増幅器との間に接続されていること、を特徴とする請求項５に記載の通信機器。
【請求項７】
第１の送受信回路及び／又は第２の送受信回路には、二つの第１のアイソレータ及び／又は二つの第２のアイソレータが直列に接続されていること、を特徴とする請求項５又は請求項６に記載の通信機器。
【請求項８】
第１の送受信回路と第２の送受信回路と第３の送受信回路とを備え、
第１の送受信回路には、第１の周波数を通過帯域とし、それとは異なる第２の周波数帯をアイソレーション周波数とした第１のアイソレータ、及び、第１の周波数を通過帯域とし、それとは異なる第３の周波数帯をアイソレーション周波数とした第４のアイソレータを含み、
第２の送受信回路には、第２の周波数を通過帯域とし、第１の周波数帯をアイソレーション周波数とした第２のアイソレータ、及び、第２の周波数を通過帯域とし、第３の周波数帯をアイソレーション周波数とした第５のアイソレータを含み、
第３の送受信回路には、第３の周波数を通過帯域とし、第１の周波数帯をアイソレーション周波数とした第３のアイソレータ、及び、第３の周波数を通過帯域とし、第２の周波数帯をアイソレーション周波数とした第６のアイソレータを含むこと、
を特徴とする通信機器。
【発明の詳細な説明】
【技術分野】
【０００１】
本発明は、アイソレータ及び通信機器、特に、マイクロ波帯で使用されるアイソレータ及び該アイソレータを備えた通信機器に関する。
【背景技術】
【０００２】
従来より、アイソレータは、予め定められた特定方向にのみ信号を伝送し、逆方向には伝送しない特性を有している。この特性を利用して、アイソレータは、自動車電話、携帯電話などの移動体通信機器の送信回路部に使用されている。
【０００３】
この種のアイソレータとしては、特許文献１に記載のように、挿入損失が最小になる周波数とアイソレーションが最大になる周波数とがほぼ一致するように設計されている。ところで、近年、無線通信端末では複数の周波数帯で同時に通信するように構成されている。このように複数の周波数で同時に通信を行うと、一方の周波数帯の送信信号や受信信号が他方の周波数帯の送信回路に流入し、パワーアンプが歪んでＡＣＬＲ特性が劣化するという問題点を有している。即ち、従来のアイソレータでは、通過周波数とアイソレーション周波数とを一方の周波数帯に合わせているため、他方の周波数帯の送信信号や受信信号を減衰させることができない。
【０００４】
前記問題点を解決するため、通常、誘電体フィルタやＳＡＷフィルタなどを不要な周波数帯成分を減衰させるために用いている。しかし、誘電体フィルタは共振器長が周波数に反比例するため、低い周波数を用いる通信機器では機器の小型化を損なってしまう。ＳＡＷフィルタは、小型ではあるが、耐電力性能が低いので送信電力が大きな通信機器での使用は信頼性の面で困難である。また、ＳＡＷフィルタは挿入損失が１〜４ｄＢ程度と大きいため、パワーアンプの消費電流が大きくなり、携帯端末の使用可能時間が短くなる。
【０００５】
さらに、一般的にフィルタでは、通過させる周波数帯と減衰させる周波数帯が近いほど、挿入損失の劣化が大きくなる傾向にあり、低挿入損失と高減衰量の両立が困難であった。
【先行技術文献】
【特許文献】
【０００６】
【特許文献１】特開２０００−１７４５０９号公報
【発明の概要】
【発明が解決しようとする課題】
【０００７】
そこで、本発明の目的は、複数の周波数帯での同時通信時に一方の周波数帯の送信信号や受信信号が他方の周波数帯の送信回路に流入することを防止でき、低挿入損失と高減衰量を両立させ得るアイソレータ及び通信機器を提供することにある。
【課題を解決するための手段】
【０００８】
本発明の第１の形態であるアイソレータは、一方のポートへ入力された高周波信号を他方のポートへ伝送し、他方のポートへ入力された高周波信号を一方のポートへは伝送しないアイソレータにおいて、通過周波数とアイソレーション周波数とを互いに異ならせたこと、を特徴とする。
【０００９】
本発明の第２の形態である通信機器は、通過周波数とアイソレーション周波数とを互いに異ならせたアイソレータを備えたこと、を特徴とする。
【００１０】
前記アイソレータにおいては、通過周波数とアイソレーション周波数とを互いに異ならせているため、送信に必要な一方の周波数を通過周波数とし、同時に使用される他の周波数をアイソレーション周波数に設定することにより、同時に使用される他の周波数の送信高周波信号又は受信高周波信号が一方の周波数の送信回路に流入することが防止される。また、アイソレータは挿入損失特性が良好であり、通過させる送信信号の減衰が小さく、パワーアンプの消費電流を抑制するので、携帯通信機器の使用可能時間への影響は小さい。アイソレータは、その一方で、アンテナから入力される不要な周波数帯成分、特に同時に使用される他の周波数帯成分を大きく減衰するので、パワーアンプの歪みが抑制され、ＡＣＬＲ特性はほとんど劣化することがない。また、通過させる周波数帯と減衰させる周波数帯が近い場合でも、挿入損失及びアイソレーション特性が劣化することはないので、低挿入損失と高減衰量が両立する。
【発明の効果】
【００１１】
本発明によれば、複数の周波数帯での同時通信時に一方の周波数帯の送信信号や受信信号が他方の周波数帯の送信回路に流入することを防止でき、低挿入損失と高減衰量を両立させ得る。
【図面の簡単な説明】
【００１２】
【図１】アイソレータの第１例を示す等価回路図である。
【図２】アイソレータの第２例を示す等価回路図である。
【図３】第１実施例である通信機器の回路を示すブロック図である。
【図４】第１実施例において、第１の送受信回路に設けたアイソレータの特性を示すグラフである。
【図５】第１実施例において、第２の送受信回路に設けたアイソレータの特性を示すグラフである。
【図６】第２実施例である通信機器の回路を示すブロック図である。
【図７】第２実施例において、第１の送受信回路に設けたアイソレータの特性を示すグラフである。
【図８】第２実施例において、第２の送受信回路に設けたアイソレータの特性を示すグラフである。
【図９】第３実施例である通信機器の回路を示すブロック図である。
【図１０】第３実施例において、第１の送受信回路に設けたアイソレータの特性を示すグラフである。
【発明を実施するための形態】
【００１３】
以下、本発明に係るアイソレータ及び通信機器の実施例について添付図面を参照して説明する。なお、各図において、同じ部材、部分については共通する符号を付し、重複する説明は省略する。
【００１４】
（アイソレータ、図１及び図２参照）
アイソレータの第１例を図１に示す。このアイソレータ１は、集中定数型として構成され、永久磁石によって直流磁界が印加されるフェライト５に互いに絶縁状態で交差して巻回された第１中心電極（インダクタＬ１）と第２中心電極（インダクタＬ２）を備えている。インダクタＬ１と並列に整合用コンデンサＣ１及び終端抵抗Ｒ１が接続され、インダクタＬ２と並列に整合用コンデンサＣ２が接続されている。インダクタＬ１は一端がインピーダンス整合用コンデンサＣｓ１を介して入力ポートＰ１に接続され、他端がインピーダンス整合用コンデンサＣｓ２を介して出力ポートＰ２に接続されている。インダクタＬ２は一端が出力ポートＰ２に接続され、他端はグランドポートＰ３に接続されている。
【００１５】
以上の回路構成からなるアイソレータ１においては、入力ポートＰ１に高周波電流が入力されると、インダクタＬ２に大きな高周波電流が流れ、インダクタＬ１にはほとんど高周波電流が流れず、出力ポートＰ２に伝送される。一方、出力ポートＰ２に高周波電流が入力されると、終端抵抗Ｒ１のインピーダンス特性によって減衰される。
【００１６】
インダクタＬ１とコンデンサＣ１との並列共振周波数によってアイソレーション周波数が設定され、インダクタＬ２とコンデンサＣ２との並列共振周波数によって通過周波数が設定される。
【００１７】
アイソレータの第２例を図２に示す。このアイソレータ２は、集中定数型として構成され、永久磁石によって直流磁界が印加されるフェライト５に互いに絶縁状態で交差して配置された第１中心電極（インダクタＬ１１）と第２中心電極（インダクタＬ１２）と第３中心電極（インダクタＬ１３）を備えている。それぞれのインダクタＬ１１，Ｌ１２，Ｌ１３と並列に整合用コンデンサＣ１１，Ｃ１２，Ｃ１３が接続され、かつ、終端抵抗Ｒ１１がインダクタＬ１３と並列に接続されている。インダクタＬ１１は一端が入力ポートＰ１に接続され、他端がグランドポートＰ３に接続されている。インダクタＬ１２は一端が出力ポートＰ２に接続され、他端がグランドポートＰ３に接続されている。インダクタＬ１３は他端がグランドポートＰ３に接続されている。
【００１８】
以上の回路構成からなるアイソレータ２においては、入力ポートＰ１に高周波電流が入力されると、インダクタＬ１１，Ｌ１２に大きな高周波電流が流れ、インダクタＬ１３にはほとんど高周波電流が流れず、出力ポートＰ２に伝送される。一方、出力ポートＰ２に高周波電流が入力されると、終端抵抗Ｒ１１のインピーダンス特性によって減衰される。
【００１９】
インダクタＬ１３とコンデンサＣ１３との並列共振周波数によってアイソレーション周波数が設定され、インダクタＬ１１，Ｌ１２とコンデンサＣ１１，Ｃ１２とのそれぞれの並列共振周波数によって通過周波数が設定される。
【００２０】
そして、いずれのアイソレータ１，２においても、通過周波数とアイソレーション周波数とを互いに異ならせており、両者の関係を以下に示す実施例において説明する。
【００２１】
（第１実施例、図３〜図５参照）
第１実施例である通信機器は、図３に示すように、第１の周波数の高周波信号を送受信する第１の送受信回路１０Ａと、第２の周波数の高周波信号を送受信する第２の送受信回路１０Ｂとを備えている。第１及び第２の送受信回路１０Ａ，１０Ｂは同じ回路構成からなり、アンテナ素子１１Ａ，１１Ｂ、デュプレクサ１２Ａ，１２Ｂ、第１及び第２の送信側アイソレータ１３Ａ，１３Ｂ、送信側増幅器１４Ａ，１４Ｂ、送信側段間用帯域通過フィルタ１５Ａ，１５Ｂ、送信側ミキサ１６Ａ，１６Ｂ、受信側増幅器２１Ａ，２１Ｂ、受信側段間用帯域通過フィルタ２２Ａ，２２Ｂ、受信側ミキサ２３Ａ，２３Ｂを有し、さらに、電圧制御発振器（ＶＣＯ）２４Ａ，２４Ｂ、ローカル用帯域通過フィルタ２５Ａ，２５Ｂを有している。なお、これらの部品の基本的な構成、作用は周知であり、詳細な説明は省略する。
【００２２】
以上の構成からなる通信機器において、送信側アイソレータ１３Ａは、第１の送受信回路１０Ａにおいてアンテナ素子１１Ａと増幅器１４Ａとの間に接続され、通過周波数を第１の周波数に合わされ、アイソレーション周波数を第２の周波数に合わされている。送信側アイソレータ１３Ｂは、第２の送受信回路１０Ｂにおいてアンテナ素子１１Ｂと増幅器１４Ｂとの間に接続され、通過周波数を第２の周波数に合わされ、アイソレーション周波数を第１の周波数に合わされている。
【００２３】
周波数を具体的に例示すると、第１の送受信回路１０Ａで送信される第１の周波数は８２４〜８４９ＭＨｚ帯であり、第２の送受信回路１０Ｂで送信される第２の周波数は７７７〜７８７ＭＨｚ帯である。この場合、第１の送受信回路１０Ａに設けられているアイソレータ１３Ａは、図４に示すように、通過周波数を８２４〜８４９ＭＨｚ帯に合わせるとともに、アイソレーション周波数を７７７〜７８７ＭＨｚ帯に合わせている。７７７〜７８７ＭＨｚ帯での挿入損失は−０．５０ｄＢ、アイソレーションは−２３．３ｄＢである。８２４〜８４９ＭＨｚ帯での挿入損失は−０．４１ｄＢ、アイソレーションは−３．７ｄＢである。
【００２４】
また、第２の送受信回路１０Ｂに設けられているアイソレータ１３Ｂは、図５に示すように、通過周波数を７７７〜７８７ＭＨｚ帯に合わせるとともに、アイソレーション周波数を８２４〜８４９ＭＨｚ帯に合わせている。７７７〜７８７ＭＨｚ帯での挿入損失は−０．４４ｄＢ、アイソレーションは−４．６ｄＢである。８２４〜８４９ＭＨｚ帯での挿入損失は−０．５１ｄＢ、アイソレーションは−１６．４ｄＢである。
【００２５】
第１の送受信回路１０Ａにおいて、増幅器１４Ａから出力された８２４〜８４９ＭＨｚ帯の高周波信号はアイソレータ１３Ａを通過しても減衰が小さく（−０．４１ｄＢ）、アンテナ素子１１Ａから放射される。また、アンテナ素子１１Ａから入力される不要な周波数成分（特に、同時に通信される７７７〜７８７ＭＨｚ帯）はアイソレータ１３Ａによって減衰する（−２３．３ｄＢ）。これにて、増幅器１４Ａの歪みが抑制されてＡＣＬＲ特性はほとんど劣化しない。
【００２６】
また、第２の送受信回路１０Ｂにおいて、増幅器１４Ｂから出力された７７７〜７８７ＭＨｚ帯の高周波信号はアイソレータ１３Ｂを通過しても減衰が小さく（−０．４４ｄＢ）、アンテナ素子１１Ｂから放射される。また、アンテナ素子１１Ｂから入力される不要な周波数成分（特に、同時に通信される８２４〜８４９ＭＨｚ帯）はアイソレータ１３Ｂによって減衰する（−１６．４ｄＢ）。これにて、増幅器１４Ｂの歪みが抑制されてＡＣＬＲ特性はほとんど劣化しない。
【００２７】
また、アイソレータ１３Ａ，１３Ｂは挿入損失特性が良好であり、通過させる送信信号の減衰が小さく、増幅器１４Ａ，１４Ｂの消費電流を抑制するので、携帯通信機器の使用可能時間への影響は小さい。さらに、通過させる周波数帯と減衰させる周波数帯とが近接していても、挿入損失及びアイソレーション特性が劣化することはないので、低挿入損失と高減衰量が両立する。
【００２８】
（第２実施例、図６〜図８参照）
第２実施例である通信機器は、図６に示すように、第１の送受信回路１０Ａ及び第２の送受信回路１０Ｂにおいて、二つの送信側アイソレータ１３Ａ，１３Ｂを直列に接続したもので、他の構成は前記第１実施例と同様である。このように、二つのアイソレータ１３Ａ，１３Ｂを直列に接続することで、それぞれのアイソレーション機能によって不要な周波数成分が十分に減衰され、増幅器１４Ａ，１４Ｂの歪み抑制効果が向上する。なお、単一のアイソレータを設置する場合（第１実施例）と比較すると、挿入損失は若干増加するものの、ＳＡＷフィルタや誘電体フィルタを用いる場合よりも低挿入損失であり、増幅器１４Ａ，１４Ｂの消費電流を抑制できる。本第２実施例では、単一のアイソレータでは減衰量が不足する場合に有効である。
【００２９】
具体的には、本第２実施例において、第１及び第２の送受信回路１０Ａ，１０Ｂで送信する第１及び第２の周波数を前記第１実施例と同じとし、前記アイソレータ１３Ａ，１３Ｂを二つずつ直列に接続した場合、第１の送受信回路１０Ａに設けられているアイソレータ１３Ａ，１３Ａは、図７に示すように、７７７〜７８７ＭＨｚ帯での挿入損失は−１．０６ｄＢ、アイソレーションは−４６．６ｄＢである。８２４〜８４９ＭＨｚ帯での挿入損失は−０．８２ｄＢ、アイソレーションは−７．４ｄＢである。また、第２の送受信回路１０Ｂに設けられているアイソレータ１３Ｂ，１３Ｂは、図８に示すように、７７７〜７８７ＭＨｚ帯での挿入損失は−０．８７ｄＢ、アイソレーションは−９．２ｄＢである。８２４〜８４９ＭＨｚ帯での挿入損失は−１．０２ｄＢ、アイソレーションは−３２．７ｄＢである。
【００３０】
第１の送受信回路１０Ａにおいて、増幅器１４Ａから出力された８２４〜８４９ＭＨｚ帯の高周波信号はアイソレータ１３Ａ，１３Ａを通過しても減衰が小さく（−０．８２ｄＢ）、アンテナ素子１１Ａから放射される。また、アンテナ素子１１Ａから入力される不要な周波数成分（特に、同時に通信される７７７〜７８７ＭＨｚ帯）はアイソレータ１３Ａ，１３Ａによって大きく減衰する（−４６．６ｄＢ）。これにて、増幅器１４Ａの歪みが抑制されてＡＣＬＲ特性の劣化は極小となる。
【００３１】
また、第２の送受信回路１０Ｂにおいて、増幅器１４Ｂから出力された７７７〜７８７ＭＨｚ帯の高周波信号はアイソレータ１３Ｂ，１３Ｂを通過しても減衰が小さく（−０．８７ｄＢ）、アンテナ素子１１Ｂから放射される。また、アンテナ素子１１Ｂから入力される不要な周波数成分（特に、同時に通信される８２４〜８４９ＭＨｚ帯）はアイソレータ１３Ｂによって大きく減衰する（−３２．７ｄＢ）。これにて、増幅器１４Ｂの歪みが抑制されてＡＣＬＲ特性の劣化は極小となる。
【００３２】
（第３実施例、図９及び図１０参照）
第３実施例である通信機器は、図９に示すように、第１及び第２の送受信回路１０Ａ，１０Ｂに加えて第３の送受信回路１０Ｃを備えたものである。第３の送受信回路１０Ｃは基本的には第１及び第２の送受信回路１０Ａ，１０Ｂと同じ構成を備え、送信される第３の周波数は８８０〜９１５ＭＨｚ帯である。第１及び第２の送受信回路１０Ａ，１０Ｂの送受信周波数は、前述のように、それぞれ、８２４〜８４９ＭＨｚ帯及び７７７〜７８７ＭＨｚ帯である。
【００３３】
また、送受信回路１０Ａ，１０Ｂ，１０Ｃには、それぞれ、二つのアイソレータ１３Ａ，１３Ａ’，１３Ｂ，１３Ｂ’，１３Ｃ，１３Ｃ’が直列に接続されている。第１のアイソレータ１３Ａは、第１の周波数を通過帯域とし、それとは異なる第２の周波数帯をアイソレーション周波数としている。第４のアイソレータ１３Ａ’は第１の周波数を通過帯域とし、それとは異なる第３の周波数帯をアイソレーション周波数としている。第２のアイソレータ１３Ｂは、第２の周波数を通過帯域とし、第１の周波数帯をアイソレーション周波数としている。第５のアイソレータ１３Ｂ’は、第２の周波数を通過帯域とし、第３の周波数帯をアイソレーション周波数としている。第３のアイソレータ１３Ｃは、第３の周波数を通過帯域とし、第１の周波数帯をアイソレーション周波数としている。第６のアイソレータ１３Ｃ’は、第３の周波数を通過帯域とし、第２の周波数帯をアイソレーション周波数としている。
【００３４】
具体的には、本第３実施例において、第１の送受信回路１０Ａに設けられているアイソレータ１３Ａは、図１０に示すように、通過周波数を８２４〜８４９ＭＨｚ帯に合わせるとともに、アイソレーション周波数を７７７〜７８７ＭＨｚ帯に合わせている。また、アイソレータ１３Ａ’は、図１０に示すように、通過周波数を８２４〜８４９ＭＨｚ帯に合わせるとともに、アイソレーション周波数を８８０〜９１５ＭＨｚ帯に合わせている。７７７〜７８７ＭＨｚ帯での挿入損失は−０．９７ｄＢ、アイソレーションは−２４．４ｄＢである。８２４〜８４９ＭＨｚ帯での挿入損失は−０．８３ｄＢ、アイソレーションは−１０．２ｄＢである。８８０〜９１５ＭＨｚ帯での挿入損失は−１．０６ｄＢ、アイソレーションは−１６．４ｄＢである。
【００３５】
第１の送受信回路１０Ａにおいて、増幅器１４Ａから出力された８２４〜８４９ＭＨｚ帯の高周波信号はアイソレータ１３Ａ，１３Ａ’を通過しても減衰が小さく（−０．８３ｄＢ）、アンテナ素子１１Ａから放射される。また、アンテナ素子１１Ａから入力される不要な周波数成分（特に、同時に通信される７７７〜７８７ＭＨｚ帯及び８８０〜９１５ＭＨｚ帯）はアイソレータ１３Ａ、１３Ａ’によって減衰する（−２４．４ｄＢ及び−１６．４ｄＢ）。これにて、増幅器１４Ａの歪みが抑制されてＡＣＬＲ特性はほとんど劣化しない。
【００３６】
第２及び第３の送受信回路１０Ｂ，１０Ｃにおけるアイソレータ１３Ｂ，１３Ｂ’，１３Ｃ，１３Ｃ’の具体的な特性は省略するが、アイソレータ１３Ａ，１３Ａ’と基本的には同様の特性に設定されている。なお、本第３実施例において、各送受信回路１０Ａ，１０Ｂ，１０Ｃで使用する送信側アイソレータはそれぞれ一つであってもよい。
【００３７】
（他の実施例）
なお、本発明に係るアイソレータ及び通信機器は前記実施例に限定するものではなく、その要旨の範囲内で種々に変更することができる。
【００３８】
例えば、アイソレータとしては、図１及び図２に示した集中定数型のアイソレータに限らず、導波管型や同軸型などの分布定数型のアイソレータであってもよい。また、通信機器の回路構成は任意である。
【産業上の利用可能性】
【００３９】
以上のように、本発明は、アイソレータや通信機器に有用であり、特に、複数の周波数帯での同時通信時に一方の周波数帯の送信信号や受信信号が他方の周波数帯の送信回路に流入することを防止でき、低挿入損失と高減衰量を両立させ得る点で優れている。
【符号の説明】
【００４０】
１，２…アイソレータ
５…フェライト
１０Ａ，１０Ｂ，１０Ｃ…送受信回路
１１Ａ，１１Ｂ，１１Ｃ…アンテナ素子
１３Ａ，１３Ａ’，１３Ｂ，１３Ｂ’，１３Ｃ，１３Ｃ’…送信側アイソレータ
１４Ａ，１４Ｂ，１４Ｃ…送信側増幅器
Ｐ１…入力ポート
Ｐ２…出力ポート
Ｐ３…グランドポート
Ｌ１，Ｌ２、Ｌ１１，Ｌ１２，Ｌ１３…インダクタ（中心電極）
Ｃ１，Ｃ２，Ｃ１１，Ｃ１２，Ｃ１３…コンデンサ（整合容量）
Ｒ１，Ｒ１１…終端抵抗
【図１】
2012039444.tif 000003
【図２】
2012039444.tif 000004
【図３】
2012039444.tif 000005
【図４】
2012039444.tif 000006
【図５】
2012039444.tif 000007
【図６】
2012039444.tif 000008
【図７】
2012039444.tif 000009
【図８】
2012039444.tif 000010
【図９】
2012039444.tif 000011
【図１０】
2012039444.tif 000012